(57)【要約】【課題】ユーザが商品の画像を撮影することで、商品情報を取得するとともに容易に購買行動を行うことを可能にする。【解決手段】ユーザ端末１０が商品の実物、又は刊行物等に掲載された商品画像を撮影し、商品情報データベース２５０と商品画像データベース２５１を備える商品情報サーバ２００に送信することで、商品情報の抽出を行い、当該商品の購入を容易に可能とするとともに、商品の価額についても、購入申し込み数に基づいて即時的に算出することを可能とする。【選択図】図１
2014215929.tif 000002
【特許請求の範囲】
【請求項１】
商品の情報を記憶させた商品情報データベースと、商品の画像、又は画像の特徴点と局所特徴量を記憶させた商品画像データベースを備え、一以上のユーザ端末と通信可能に接続された商品情報サーバであって、
前記ユーザ端末から、前記ユーザ端末を用いて撮影された画像を受信する撮影画像受信手段と、
前記受信した画像から、特徴点を抽出する特徴点抽出手段と、
前記画像について、前記抽出した特徴点の周辺領域について局所特徴量を記述する周辺領域記述手段と、
前記抽出した特徴点と、前記記述した局所特徴量に基づいて、前記商品の画像の一部又は全部が、前記撮影画像の一部又は全部と一致する前記商品を、商品画像データベースから抽出する商品抽出手段と、
前記抽出した商品の情報を前記商品情報データベースから抽出する商品情報抽出手段と、
前記抽出した商品情報を、前記撮影画像を受信した前記ユーザ端末に対して送信する商品情報提供手段と、
を備えることを特徴とする商品情報サーバ。
【請求項２】
請求項１に記載の商品情報サーバであって、
前記商品画像データベースに記憶され、又は特徴点と局所特徴量が記憶された画像とは、前記商品を直接撮影したものではなく、当該商品が掲載された印刷物又は電子的な出版物の一部であって、前記商品を間接的に撮影した画像に相当することを特徴とする、商品情報サーバ。
【請求項３】
請求項２に記載の商品情報サーバであって、
前記印刷物、又は電子的な出版物とは、定期又は不定期に刊行され、かつ販売される雑誌であって、前記商品画像データベースにおいて、前記商品と当該雑誌の情報とが関連付けられて記憶されていることを特徴とする、商品情報サーバ。
【請求項４】
請求項１乃至３のいずれか一項に記載の商品情報サーバであって、
前記ユーザ端末から、前記商品に対する購入の申し込みを受け付ける購入申し込み受付手段と、
前記商品について、予め商品毎に定められた当該商品の基準額と、受け付けた前記購入の申し込みの数とに基づいて、当該商品の現在の価額を決定する商品価額決定手段と、
を備え、前記決定した価額を前記ユーザ端末に対して送信する商品情報に含むことを特徴とする商品情報サーバ。
【請求項５】
商品の情報を記憶させた商品情報データベースを備える商品情報サーバと通信可能に接続され、撮影手段を備えたユーザ端末であって、
前記撮影手段によって取得した画像を前記商品情報サーバに送信する撮影画像送信手段と、
前記送信した画像に関連付けられた商品の情報を、前記商品情報サーバから取得する商品情報取得手段と、
前記情報を取得した商品の、当該商品に対してなされた購入の申し込みによって決定された現在の価額を取得する商品価額取得手段と、
前記商品に対する購入の申し込みを前記商品情報サーバに送信する購入申し込み手段と、
を備えることを特徴とするユーザ端末。
【請求項６】
商品の情報を記憶させた商品情報データベースと、商品の画像、又は画像の特徴点と局所特徴量を記憶させた商品画像データベースを備え、一以上のユーザ端末と通信可能に接続された商品情報サーバが実行する商品情報提供方法であって、
前記ユーザ端末から、前記ユーザ端末を用いて撮影された画像を受信するステップと、
前記受信した画像から、特徴点を抽出するステップと、
前記画像について、前記抽出した特徴点の周辺領域について局所特徴量を記述するステップと、
前記抽出した特徴点と、前記記述した局所特徴量に基づいて、前記商品の画像の一部又は全部が、前記撮影画像の一部又は全部と一致する前記商品を、商品画像データベースから抽出するステップと、
前記抽出した商品の情報を前記商品情報データベースから抽出するステップと、
前記抽出した商品情報を、前記撮影画像を受信した前記ユーザ端末に対して送信するステップと、
を備えることを特徴とする商品情報サーバ。
【請求項７】
商品の情報を記憶させた商品情報データベースと、商品の画像、又は画像の特徴点と局所特徴量を記憶させた商品画像データベースを備え、一以上のユーザ端末と通信可能に接続された商品情報サーバに、
前記ユーザ端末から、前記ユーザ端末を用いて撮影された画像を受信するステップ、
前記受信した画像から、特徴点を抽出するステップ、
前記画像について、前記抽出した特徴点の周辺領域について局所特徴量を記述するステップ、
前記抽出した特徴点と、前記記述した局所特徴量に基づいて、前記商品の画像の一部又は全部が、前記撮影画像の一部又は全部と一致する前記商品を、商品画像データベースから抽出するステップ、
前記抽出した商品の情報を前記商品情報データベースから抽出するステップ、
前記抽出した商品情報を、前記撮影画像を受信した前記ユーザ端末に対して送信するステップ、
を実行させることを特徴とする商品情報サーバ用プログラム。
【発明の詳細な説明】
【技術分野】
【０００１】
本発明は、カメラで撮影した商品の情報を提供するとともに、商品の価額を即時的に算出する商品情報サーバ、ユーザ端末、商品情報提供方法、商品情報サーバ用プログラムに関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。
【０００３】
更に、昨今では公衆回線網上で商取引を行う環境が整備されており、個人のユーザであっても、電子マネーやクレジットカードを利用することで、店舗まで出向かずに電子的に買物を行う電子商取引（Ｅｌｅｃｔｒｏｎｉｃ  ｃｏｍｍｅｒｃｅ、ＥＣ）を行うことが可能となっている。
【０００４】
その一方で、ユーザがある商品の購入を希望しても、その商品を購入できるＥＣサイトを探せなかったり、ＥＣサイトを発見してもＥＣサイト内で膨大な商品群から目当ての商品を探せなかったりする場合に、販売の機会を逸してしまうという問題があった。
【０００５】
このような課題に対して、所定の範囲の商品に付されている商品ラベルを撮影することにより、当該商品を特定し、その商品属性をユーザに提供可能な商品識別装置が開示されている。
【先行技術文献】
【特許文献】
【０００６】
【特許文献１】特開２０１２−１４２２０号公報
【発明の概要】
【発明が解決しようとする課題】
【０００７】
特許文献１では、商品識別装置が、識別したい商品ラベルの画像を受け付け、その画像を所定の分割ルールで所定の回数だけ分割し、分割した複数の商品ラベル分割画像の中から１つの商品ラベル分割画像を所定の選択ルールで選択し、商品属性データベースから最も類似する商品ラベル分割画像を抽出し、その抽出した商品ラベル分割画像に関連付けて記憶された商品の属性を抽出することで、商品の識別を行う手法が開示されている。
【０００８】
しかしながら、特許文献１に記載の手法では、識別する商品には所定のルールに従った商品ラベルが付されていることが必要であって、例えば店舗外で見かけた商品等、商品ラベルが外されている場合には、識別を行うことができないという問題がある。
【０００９】
そこで本発明の発明者は、商品そのものの画像を撮影し、画像処理を行う事で商品を同定できることに着目するとともに、洋服を初めとする決まった形を持たない商品については、商品の外観が予め画像化された印刷物や画像データを撮影することで、商品を間接的に撮影し、識別精度を向上できる点に着目した。
【００１０】
更に発明者は、ユーザを写真の撮影のみによって容易に購買行動に結びつけることを可能とする上で、商品を雑誌といった定期刊行物に紐づけてデータベース化することで、技術上の画像認識精度を改善するとともに、流行性等を加味し、在庫と販売数に基づく商品の適正な価額を算出できる点にも着目した。
【００１１】
本発明は、これらの課題に鑑み、定期刊行物に掲載された商品画像を撮影することで、当該商品の購入を容易に可能とするとともに、当該商品の価額についても、購入申し込み数に基づいて即時的に算出することを可能とする商品情報サーバ、ユーザ端末、商品情報提供方法、及び商品情報サーバ用プログラムを提供することを目的とする。
【課題を解決するための手段】
【００１２】
本発明では、以下のような解決手段を提供する。
【００１３】
第１の特徴に係る発明は、商品の情報を記憶させた商品情報データベースと、商品の画像、又は画像の特徴点と局所特徴量を記憶させた商品画像データベースを備え、一以上のユーザ端末と通信可能に接続された商品情報サーバであって、
前記ユーザ端末から、前記ユーザ端末を用いて撮影された画像を受信する撮影画像受信手段と、
前記受信した画像から、特徴点を抽出する特徴点抽出手段と、
前記画像について、前記抽出した特徴点の周辺領域について局所特徴量を記述する周辺領域記述手段と、
前記抽出した特徴点と、前記記述した局所特徴量に基づいて、前記商品の画像の一部又は全部が、前記撮影画像の一部又は全部と一致する前記商品を、商品画像データベースから抽出する商品抽出手段と、
前記抽出した商品の情報を前記商品情報データベースから抽出する商品情報抽出手段と、
前記抽出した商品情報を、前記撮影画像を受信した前記ユーザ端末に対して送信する商品情報提供手段と、
を備えることを特徴とする商品情報サーバを提供する。
【００１４】
第１の特徴に係る発明によれば、商品の情報を記憶させた商品情報データベースと、商品の画像、又は画像の特徴点と局所特徴量を記憶させた商品画像データベースを備え、一以上のユーザ端末と通信可能に接続された商品情報サーバは、前記ユーザ端末から、前記ユーザ端末を用いて撮影された画像を受信し、前記受信した画像から、特徴点を抽出し、前記画像について、前記抽出した特徴点の周辺領域について局所特徴量を記述し、前記抽出した特徴点と、前記記述した局所特徴量に基づいて、前記商品の画像の一部又は全部が、前記撮影画像の一部又は全部と一致する前記商品を、商品画像データベースから抽出し、前記抽出した商品の情報を前記商品情報データベースから抽出し、前記抽出した商品情報を、前記撮影画像を受信した前記ユーザ端末に対して送信する。
【００１５】
第１の特徴に係る発明は、商品情報サーバのカテゴリであるが、商品情報提供方法及び、商品情報サーバ用プログラムであってもカテゴリに応じた同様の作用、効果を奏する。
【００１６】
第２の特徴に係る発明は、第１の特徴に係る発明である商品情報サーバであって、
前記商品画像データベースに記憶され、又は特徴点と局所特徴量が記憶された画像とは、前記商品を直接撮影したものではなく、当該商品が掲載された印刷物又は電子的な出版物の一部であって、前記商品を間接的に撮影した画像に相当することを特徴とする、商品情報サーバを提供する。
【００１７】
第２の特徴に係る発明によれば、第１の特徴に係る発明である商品情報サーバにおいて、前記商品画像データベースに記憶され、又は特徴点と局所特徴量が記憶された画像とは、前記商品を直接撮影したものではなく、当該商品が掲載された印刷物又は電子的な出版物の一部であって、前記商品を間接的に撮影した画像に相当する。
【００１８】
第３の特徴に係る発明は、第２の特徴に係る発明である商品情報サーバであって、
前記印刷物、又は電子的な出版物とは、定期又は不定期に刊行され、かつ販売される雑誌であって、前記商品画像データベースにおいて、前記商品と当該雑誌の情報とが関連付けられて記憶されていることを特徴とする、商品情報サーバを提供する。
【００１９】
第３の特徴に係る発明によれば、第２の特徴に係る発明である商品情報サーバにおいて、前記印刷物、又は電子的な出版物とは、定期又は不定期に刊行され、かつ販売される雑誌であって、前記商品画像データベースにおいて、前記商品と当該雑誌の情報とが関連付けられて記憶されている。
【００２０】
第４の特徴に係る発明は、第１から第３のいずれかの特徴に係る発明である商品情報サーバであって、
前記ユーザ端末から、前記商品に対する購入の申し込みを受け付ける購入申し込み受付手段と、
前記商品について、予め商品毎に定められた当該商品の基準額と、受け付けた前記購入の申し込みの数とに基づいて、当該商品の現在の価額を決定する商品価額決定手段と、
を備え、前記決定した価額を前記ユーザ端末に対して送信する商品情報に含むことを特徴とする商品情報サーバを提供する。
【００２１】
第４の特徴に係る発明によれば、第１から第３のいずれかの特徴に係る発明である商品情報サーバは、前記ユーザ端末から、前記商品に対する購入の申し込みを受け付け、前記商品について、予め商品毎に定められた当該商品の基準額と、受け付けた前記購入の申し込みの数とに基づいて、当該商品の現在の価額を決定し、前記決定した価額を前記ユーザ端末に対して送信する。
【００２２】
第５の特徴に係る発明は、商品の情報を記憶させた商品情報データベースを備える商品情報サーバと通信可能に接続され、撮影手段を備えたユーザ端末であって、
前記撮影手段によって取得した画像を前記商品情報サーバに送信する撮影画像送信手段と、
前記送信した画像に関連付けられた商品の情報を、前記商品情報サーバから取得する商品情報取得手段と、
前記情報を取得した商品の、当該商品に対してなされた購入の申し込みによって決定された現在の価額を取得する商品価額取得手段と、
前記商品に対する購入の申し込みを前記商品情報サーバに送信する購入申し込み手段と、
を備えることを特徴とするユーザ端末を提供する。
【００２３】
第５の特徴に係る発明によれば、商品の情報を記憶させた商品情報データベースを備える商品情報サーバと通信可能に接続され、撮影手段を備えたユーザ端末は、前記撮影手段によって取得した画像を前記商品情報サーバに送信し、前記送信した画像に関連付けられた商品の情報を、前記商品情報サーバから取得し、前記情報を取得した商品の、当該商品に対してなされた購入の申し込みによって決定された現在の価額を取得し、前記商品に対する購入の申し込みを前記商品情報サーバに送信する。
【００２４】
第６の特徴に係る発明は、商品の情報を記憶させた商品情報データベースと、商品の画像、又は画像の特徴点と局所特徴量を記憶させた商品画像データベースを備え、一以上のユーザ端末と通信可能に接続された商品情報サーバが実行する商品情報提供方法であって、
前記ユーザ端末から、前記ユーザ端末を用いて撮影された画像を受信するステップと、
前記受信した画像から、特徴点を抽出するステップと、
前記画像について、前記抽出した特徴点の周辺領域について局所特徴量を記述するステップと、
前記抽出した特徴点と、前記記述した局所特徴量に基づいて、前記商品の画像の一部又は全部が、前記撮影画像の一部又は全部と一致する前記商品を、商品画像データベースから抽出するステップと、
前記抽出した商品の情報を前記商品情報データベースから抽出するステップと、
前記抽出した商品情報を、前記撮影画像を受信した前記ユーザ端末に対して送信するステップと、
を備えることを特徴とする商品情報提供方法を提供する。
【００２５】
第７の特徴に係る発明は、商品の情報を記憶させた商品情報データベースと、商品の画像、又は画像の特徴点と局所特徴量を記憶させた商品画像データベースを備え、一以上のユーザ端末と通信可能に接続された商品情報サーバに、
前記ユーザ端末から、前記ユーザ端末を用いて撮影された画像を受信するステップ、
前記受信した画像から、特徴点を抽出するステップ、
前記画像について、前記抽出した特徴点の周辺領域について局所特徴量を記述するステップ、
前記抽出した特徴点と、前記記述した局所特徴量に基づいて、前記商品の画像の一部又は全部が、前記撮影画像の一部又は全部と一致する前記商品を、商品画像データベースから抽出するステップ、
前記抽出した商品の情報を前記商品情報データベースから抽出するステップ、
前記抽出した商品情報を、前記撮影画像を受信した前記ユーザ端末に対して送信するステップ、
を実行させることを特徴とする商品情報提供方法を提供する。
【発明の効果】
【００２６】
本発明によれば、定期刊行物に掲載された商品画像を撮影することで、当該商品の購入を容易に可能とするとともに、当該商品の価額についても、購入申し込み数に基づいて即時的に算出することを可能とする商品情報サーバ、ユーザ端末、商品情報提供方法、及び商品情報サーバ用プログラムを提供することが可能となる。
【図面の簡単な説明】
【００２７】
【図１】図１は、本発明の好適な実施形態である商品情報提供システム１の概要図である。
【図２】図２は、本発明の好適な実施形態である商品情報提供システム１のシステム構成図である。
【図３】図３は、ユーザ端末１０、商品情報サーバ２００の機能ブロックと各機能の関係を示す図である。
【図４】図４は、ユーザ端末１０、商品情報サーバ２００が実行する商品情報取得処理のフローチャート図である。
【図５】図５は、ユーザ端末１０、商品情報サーバ２００が実行する商品購入申し込み処理のフローチャート図である。
【図６】図６は、ユーザ端末１０に表示される購入申し込み画面の一例である。
【図７】図７は、商品画像データベース２５１内の、商品画像テーブルの一例である。
【図８】図８は、商品情報データベース２５０内の、商品情報テーブルの一例である。
【発明を実施するための形態】
【００２８】
以下、本発明を実施するための最良の形態について図を参照しながら説明する。なお、これはあくまでも一例であって、本発明の技術的範囲はこれに限られるものではない。
【００２９】
［商品情報提供システム１の概要］
図１は、本発明の好適な実施形態である商品情報提供システム１の概要を説明するための図である。この図１に基づいて、商品情報提供システム１の概要を説明する。商品情報提供システム１において、撮影手段を備えるユーザ端末１０と、商品情報サーバ２００とは、相互に通信可能になっている。
【００３０】
初めに、ユーザ端末１０は情報の取得や、購入を希望する商品の画像を撮影する（ステップＳ０１）。ここで、商品は実物を直接撮影してもよいし、紙媒体やディスプレイ等に表示された商品画像を、間接的に撮影してもよい。
【００３１】
次に、ユーザ端末１０は撮影した画像を商品情報サーバ２００に送信する（ステップＳ０２）。画像を受信した商品情報サーバ２００は、所定のアルゴリズムに基づき、受信した画像から特徴点の抽出と周辺領域の局所特徴量を記述することで（ステップＳ０３）、商品画像データベース２５１から同一商品の画像を抽出する（ステップＳ０４）。
【００３２】
更に商品情報サーバ２００は、抽出した画像に関連付けられている商品のＩＤ等を検索条件とすることで（ステップＳ０５）、商品情報データベース２５０から商品情報を抽出する（ステップＳ０６）。なお、抽出にあたっては、撮影された画像内に含まれる文字部分を読み取ることによって、その文字部分が商品名や説明文として関連付けられた商品情報を抽出してもよい。
【００３３】
更に、商品情報サーバ２００は、それまでに当該商品に対して行われた購入申し込みの数と、メーカー希望小売価格といった基準額とから、商品の現在価額を算出してよい。ここで、価額を算出する数式は商品毎に異なっていてよく、例えば、多く売れるほど低価格になる商品や、在庫が少なくなるほど高価格になる商品といった、商品の市場における性質を反映した計算式が設定可能である。
【００３４】
次に、商品情報サーバ２００は、抽出した商品情報と、算出した現在価額とを、ユーザ端末１０に送信する（ステップＳ０７）。商品情報には、例えば、商品名、定価、商品の外観写真が含まれる。
【００３５】
最後に、商品情報と現在の価額を受信したユーザ端末１０は、表示部に情報を表示し、ユーザが購入を希望する場合には、購入の申し込みを受け付けて、商品情報サーバ２００に対して購入の申し込みを行うことが可能である。以上が、商品情報提供システム１の概要である。
【００３６】
［情報共有システムのシステム構成］
図２は、本発明の好適な実施形態である商品情報提供システム１のシステム構成図である。商品情報提供システム１は、ユーザ端末１０、商品情報サーバ２００、公衆回線網３（インターネット網や第３世代、第４世代通信網など）から構成される。ここで、ユーザ端末１０は、公衆回線網３を介して、商品情報サーバ２００と通信可能に接続されている。
【００３７】
ユーザ端末１０は、ユーザが撮影を行い、電子商取引を行うための一般的な情報端末であってよく、後述する機能を備える情報機器や電化製品である。ユーザ端末１０は、例えば、携帯電話、スマートフォン、テレビ、ルータ、コンピュータに加えて、電話機、ネットブック端末、スレート端末、電子書籍端末、電子辞書端末、携帯型音楽プレーヤ、携帯型コンテンツ再生・録画プレーヤ等の一般的な情報家電であってよい。
【００３８】
商品情報サーバ２００は、ユーザ端末１０に商品情報を提供するとともに、電子商取引機能を提供あるいは電子商取引の仲介を行うサーバである。商品情報サーバ２００は、記憶部に商品情報データベース２５０と商品画像データベース２５１を備える。
【００３９】
［各機能の説明］
図３は、ユーザ端末１０、商品情報サーバ２００の機能ブロックと各機能の関係を示す図である。
【００４０】
ユーザ端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００４１】
さらに、ユーザ端末１０は、入出力部１３として、制御部で制御したデータや画像を出力表示する表示部を備え、かつ、ユーザからの入力を受付けるタッチパネルやキーボード、マウス等のほか、カメラといった撮影部を備える。
【００４２】
ユーザ端末１０において、制御部１１が所定のプログラムを読み込むことで、通信部１２と協働して、撮影画像送信モジュール１４、商品情報取得モジュール１５、商品価額取得モジュール１６を実現する。また、ユーザ端末１０において、制御部１１が所定のプログラムを読み込むことで、通信部１２、及び入出力部１３と協働して、購入申し込みモジュール１７を実現する。また、ユーザ端末１０において、制御部１１が所定のプログラムを読み込むことで、入出力部１３と協働して、撮影モジュール１８を実現する。
【００４３】
商品情報サーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイスを備える（有線であってもよい）。加えて、商品情報サーバ２００は、記憶部２０３として、ハードディスクや半導体メモリによる、データのストレージ部を備える。商品情報サーバ２００は、記憶部２０３に、商品情報データベース２５０と、商品画像データベース２５１を備える。
【００４４】
商品情報サーバ２００の制御部２０１が所定のプログラムを読み込むことで、通信部２０２と協働して、撮影画像受信モジュール２０４、商品情報提供モジュール２０５、購入申し込み受付モジュール２０６、特徴点抽出モジュール２０７、周辺領域記述モジュール２０８を実現する。また、商品情報サーバ２００の制御部２０１が所定のプログラムを読み込むことで、記憶部２０３と協働して、商品抽出モジュール２０９、商品情報抽出モジュール２１０、商品価額決定モジュール２１１を実現する。
【００４５】
［商品情報取得処理］
図４は、ユーザ端末１０、商品情報サーバ２００が実行する商品情報取得処理のフローチャートである。上述した各装置のモジュールが行う処理について、本処理にて併せて説明する。
【００４６】
初めに、ユーザ端末１０の撮影モジュール１８は、商品の画像を撮影する（ステップＳ１１）。ここで、洋服を初めとする自由に変形可能な商品は、後述の画像処理による同定が困難であることが知られている。そのため、本発明の利用目的に照らし、この撮影は、雑誌、カタログ、広告、又はディスプレイやテレビといった商品の外観画像を更に撮影することで、商品を間接的に撮影することがより好ましい。また、ユーザ端末は外部の撮影に替えてスクリーンショットの撮影を以て、それを撮影画像としても良い。
【００４７】
次に、ユーザ端末１０の撮影画像送信モジュール１４は、撮影画像を商品情報サーバ２００に送信する（ステップＳ１２）。ここで、撮影画像のファイル形式は特定の表現方法に限られない。一般に、画像をピクセルデータのまま送信すると、ファイル容量が膨大になり、特に携帯端末が利用する無線通信では通信に時間がかかるおそれがある。そのため、一例として画像をそのまま送信するのに替えて、撮影後に当該画像から抽出した特徴点と周辺領域の局所特徴量の情報を、商品情報サーバ２００に対して送信してもよい。
【００４８】
商品情報サーバ２００の撮影画像受信モジュール２０４が撮影画像を受信すると（ステップＳ１３）、撮影画像に写っている商品の特定のために画像処理が行われる。初めに、商品情報サーバ２００の特徴点抽出モジュール２０７は、受信した画像から特徴点を抽出する（ステップＳ１４）。次に、周辺領域記述モジュール２０８は、前記抽出した特徴点について、周辺領域の特徴量を記述する（ステップＳ１５）。
【００４９】
特徴点の抽出と局所特徴量については、様々なアルゴリズムが提案されているが、具体的な手法として、特徴点の抽出にはＨａｒｒｉｓ−Ａｆｆｉｎｅ  ｄｅｔｅｃｔｏｒや、Ｈｅｓｓｉａｎ−Ａｆｆｉｎｅ  ｄｅｔｅｃｔｏｒといった手法が、局所特徴量としてはＳＩＦＴ、ＧＬＯＨ、及びＳＵＲＦといったものが提唱されている。本発明は、特定の画像処理アルゴリズムに限定されず、実施に際しては精度と実行速度から適切な組み合わせを選択してよい。また、ＰＣＡ−ＳＩＦＴのように、特徴点と局所特徴量を一括で扱ってもよい。
【００５０】
次に、商品情報サーバ２００の商品情報抽出モジュール２１０は、商品画像データベース２５１に記憶された商品の画像群と、撮影画像とを照合する（ステップＳ１６）。例えば、商品画像データベース２５１には、処理時間の短縮のため、画像ごとに抽出された特徴点と、特徴点ごとに記述された局所特徴量をベクトルとして表現した特徴ベクトルが予め記憶されているとする。
【００５１】
抽出手法の一例としては、以下が挙げられる。商品抽出モジュール２０９は、周辺領域記述モジュール２０８が記述した局所特徴量をベクトルとして扱い、前記商品画像データベース２５１に記憶された特徴ベクトルから、最も近い特徴ベクトルを検索して、その特徴ベクトルを含む画像に１点を加点する。続けて撮影画像から抽出された全ての特徴点について特徴ベクトルの検索と加点を行い、最後に最も点数が高かった画像を抽出する。この時、所定の基準に照らして得点がほぼ同一の候補が二以上あり、絞りきれない場合には、複数の商品画像を抽出してもよい。
【００５２】
また、特徴点を抽出するに際し特徴点ごとに重み付けをして、加点する得点に重みを反映することで、照合精度の向上が可能である。他方、最も近い特徴ベクトルの検索には最近傍探索が必要であるが、Ａｐｐｒｏｘｉｍａｔｅ  Ｎｅａｒｅｓｔ  Ｎｅｉｇｈｂｏｒといった近似アルゴリズムによる近似解を用いることで、精度を犠牲にしつつも処理時間を短縮することが可能である。
【００５３】
なお、商品画像データベース２５１に記憶される商品画像は、一の商品と関連付けられた画像であれば足り、例えば、撮影の際に写り込む雑誌のページ枠、隣に掲載された別商品の画像の一部や、着用モデルの顔等を含んでいてよく、必ずしも商品の外観そのものである必要はない。
【００５４】
更に、商品画像が雑誌や掲載媒体と関連付けて記憶されていることで、同一ユーザから近接した時刻に複数回の利用があったときに、最新の利用に係る撮影画像は直前の利用に係る撮影画像によって抽出された画像と掲載媒体が同一である可能性が高いと考えられることから、加点時の重み付けや検索範囲の限定等によって、抽出精度及び速度を高めることが可能である。
【００５５】
尚、商品画像データベース２５１においては、一の商品には複数の画像が関連付けられていてよい。例えば、一の商品を様々な角度から撮影した場合には、その撮影角度に応じた特徴点と特徴ベクトルが得られる。所定の複数視点、例えば六点からの特徴ベクトルをそれぞれ視点毎にまとめて記憶させておくことで、商品の実物を様々な角度から撮影した場合でも、抽出精度を向上させることが可能である。加えて、商品情報サーバが、商品の三次元モデルを利用可能な場合には、当該三次元モデルを特定の視点から描画した描画結果を、商品画像データベース２５１に画像として記憶させてもよい。
【００５６】
図７は、商品画像データベース２５１内の、商品画像テーブルの一例である。商品画像テーブルには、商品ＩＤ、雑誌ＩＤとともに、照合先となる画像の一覧が記憶されている。この時、ページ単位など、共に掲載されている複数の商品画像をまとめて一つの画像として照合してもよいし、商品ごとに分割された画像をもって照合を行っても良い。前者の場合には、一の画像に複数の商品が対応することとなり、商品毎に設定された座標と、抽出された画像内における撮影画像の位置座標とを比較することで、撮影された商品を特定することが可能となる。
【００５７】
商品情報抽出モジュール２１０は、上記処理によって抽出された画像と関連付けて記憶された商品の情報を、商品情報データベース２５０から抽出する（ステップＳ１７）。このとき、同定された商品情報を元に、同じ雑誌に掲載され、又は同じブランドであるといった当該商品と関連した商品や、推薦アルゴリズムに基づいて推薦された他の商品の情報を共に抽出してもよい。
【００５８】
最後に、商品情報サーバ２００の商品情報提供モジュール２０５は商品情報を送信し（ステップＳ１８）、ユーザ端末１０の商品情報取得モジュール１５がそれを受信する（ステップＳ１９）。ユーザ端末１０は、受信した商品情報を表示部に表示してよい。以上が、商品情報取得処理の手順である。
【００５９】
［商品購入申し込み処理］
図５は、ユーザ端末１０、商品情報サーバ２００が実行する商品購入申し込み処理のフローチャートである。上述した各装置のモジュールが行う処理について、本処理にて併せて説明する。
【００６０】
商品情報サーバ２００は、前記商品情報取得処理の後、抽出された商品情報に関連して、当該商品に対する購入申し込み数と、基準額を読み込む（ステップＳ２１）。申込数は、商品情報サーバ２００自体がＥＣ機能を提供する場合には記憶部から読み出してよいし、外部のサーバに購入申し込みを仲介する実装の場合には、当該外部のサーバから通信によって取得する。基準額は商品ごとに定められている基準となる価額であって、一般に定価であると考えてよいが、これに限られない。
【００６１】
次に、商品情報サーバ２００の商品価額決定モジュール２１１は、読み込んだ購入申し込み数と、基準額とから、現在の価額を算出する（ステップＳ２２）。当該算出には、商品毎に予め計算式が定められており、一例として「基準額×（購入申込数／仕入数）×５０％」等が挙げられる。この式では、商品が完売する直前に購入を行うユーザは、基準額たる定価の半額に近い値で購入を行うことができる。
【００６２】
また、この計算式においては、発売からの期間による割引といった、通常商取引で価額決定の際に考慮されうる要素を変数として利用してよい。一方で、いわゆる共同購入といった、購入申込数が所定の期間において一定に満たない場合は商取引自体が成立しないといった条件の設定が可能であってよい。
【００６３】
図８は、商品情報データベース２５０内の、商品情報テーブルの一例である。商品情報テーブルには、商品ＩＤと関連付けられて、商品名、基準額、価額算出式、購入成立数が記憶されている。購入成立数は、商品の購入が成立する最低数であって、商品によっては設定されない場合もある。なお、価額算出式は、定数であってもよい。
【００６４】
次に、商品情報サーバ２００の商品情報提供モジュール２０５は、前記決定した現在の価額をユーザ端末１０に対して送信する（ステップＳ２３）。ここで、価額に最低購入申込数といった条件がある場合には、共に送信する。ユーザ端末１０の商品価額取得モジュール１６は、商品の現在の価額を受信する（ステップＳ２４）。
【００６５】
次に、ユーザ端末１０の購入申し込みモジュール１７は、受信した商品情報と現在価額を表示部に表示するとともに、ユーザから購入の申し込みを受け付ける（ステップＳ２５）。
【００６６】
図６は、ユーザ端末１０に表示される購入申し込み画面の一例である。ユーザ端末１０の表示部には、商品画像６１と、基準額６２、現在の価額６３、商品名６４に加え、存在する場合には、購入成立までの必要購入申し込み数６５が表示される。ユーザが購入ボタン６６を押し下げることで、購入申し込みモジュール１７は、購入の申し込みを受け付ける。
【００６７】
ここで、購入申し込みモジュール１７が申し込みを受け付けた場合（ステップＳ２６：「ＹＥＳ」の場合）は、購入申し込みモジュール１７が商品情報サーバ２００に対して購入申し込みを送信し（ステップＳ２７）、商品情報サーバ２００の購入申し込み受付モジュール２０６が、購入申し込みを受信して受け付ける（ステップＳ２８）。
【００６８】
一方、ユーザが購入の申し込みを行わなかった場合（ステップＳ２６：「ＮＯ」の場合）には、そのまま処理を終了する。以上が、商品購入申し込み処理の手順である。
【００６９】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７１】
１  情報共有システム、３  公衆回線網、１０  ユーザ端末、２００  ネットワークサーバ、２５０  商品情報データベース、２５１  商品画像データベース
【図１】
2014215929.tif 000003
【図２】
2014215929.tif 000004
【図３】
2014215929.tif 000005
【図４】
2014215929.tif 000006
【図５】
2014215929.tif 000007
【図６】
2014215929.tif 000008
【図７】
2014215929.tif 000009
【図８】
2014215929.tif 000010